(57)【特許請求の範囲】
【請求項１】
リング状に形成され、第１の接点部材を押圧して第１の接点を導通状態にさせる第１のスイッチボタンと、前記第１のスイッチボタンの内周部に配置され、第２の接点部材を押圧して第２の接点を導通状態にさせる第２のスイッチボタンと、から成り、カメラ外装に設けられるカメラの操作ボタンの取付構造に於いて、
前記カメラ外装に形成される開口部と、
前記第１のスイッチボタンの外周に形成され、前記第１のスイッチボタンを前記カメラ外装の内側から前記開口部に挿入すると、前記開口部の周縁に当接して、前記第１のスイッチボタンを抜け止めするフランジと、
前記第２のスイッチボタンの外周に形成されるボスと、
前記第１のスイッチボタンの内周に形成される溝であって、前記第２のスイッチボタンを前記第１のスイッチボタンの裏面側から前記第１のスイッチボタンの内周部に嵌めると、前記ボスが嵌入されて、前記第２のスイッチボタンを前記第１のスイッチボタンに対して回り止めするとともに抜け止めし、かつ、前記第２のスイッチボタンを操作方向にのみ移動可能に保持する溝と、
前記第１のスイッチボタンの裏面にピン状に形成され、前記第１の接点部材を押下する第１の接点押下部と、
前記第２のスイッチボタンの裏面にピン状に形成され、前記第２の接点部材を押下する第２の接点押下部と、
前記第１のスイッチボタンと前記第１の接点部材との間、及び、前記第２のスイッチボタンと前記第２の接点部材との間に配置される弾性材のマットであって、前記第１のスイッチボタンを当接支持する第１の膨出部と前記第２のスイッチボタンを当接支持する第２の膨出部とが形成され、前記第１の膨出部と前記第２の膨出部は、それぞれ押下された前記第１のスイッチボタンと前記第２のスイッチボタンとを元の位置に復帰させるマットと、
前記第１の膨出部に形成され、前記第１の接点押下部が挿通される第１の孔と、
前記第２の膨出部に形成され、前記第２の接点押下部が挿通される第２の孔と、
前記第１の接点押下部に形成され、前記第１の孔に対して前記第１の接点押下部を抜け止めする抜け止め用突起と、
を有し、前記マット、前記第１のスイッチボタン、及び、前記第２のスイッチボタンを組み立ててなるアッセンブリを前記開口部に挿入して、前記カメラ外装に取り付けられることを特徴とするカメラの操作ボタンの取付構造。
【請求項２】
前記カメラ外装の内部に形成されるピンと、
前記マットに形成され、前記ピンが嵌入されて、前記マットを前記カメラ外装に対して位置決めする孔と、
を更に有することを特徴とする請求項１に記載のカメラの操作ボタンの取付構造。
【請求項３】
前記第１の接点部材と前記第２の接点部材とを有するクリック板と、
前記第１の接点と前記第２の接点とを有し、前記クリック板が取り付けられて、前記アッセンブリが取り付けられた前記カメラ外装の内側に取り付けられる基板と、
前記基板が取り付けられた前記カメラ外装の内側に取り付けられ、前記開口部に挿入された前記アッセンブリを前記カメラ外装の内側に押し付ける押え板と、
を更に有することを特徴とする請求項１又は２に記載のカメラの操作ボタンの取付構造。
【請求項４】
前記第１のスイッチボタンは、上下左右に押圧操作される十字キータイプとして構成され、
前記第１のスイッチボタンの表面には、前記第１のスイッチボタンの上下左右の押圧箇所を示す４つのマークが形成され、
前記第１のスイッチボタンの裏面には、前記各マークに対応して前記第１の接点押下部が４箇所に形成され、
前記マットには、前記第１の膨出部がリング状に形成され、該第１の膨出部には、前記各第１の接点押下部に対応して前記第１の孔が４箇所に形成されることを特徴とする請求項１、２又は３に記載のカメラの操作ボタンの取付構造。
【発明の詳細な説明】
【０００１】
【発明の属する技術分野】
本発明はカメラのモード切換スイッチ等の複数の接点を有するカメラの操作ボタンの取付構造に関する。
【０００２】
【従来の技術】
液晶表示パネルを備えたカメラに於いては、ユーザはこの液晶表示パネルを見ながらモードの選択を行うようになっている。このようなカメラの場合、ユーザは先ず操作ボタンを操作して各種モードを順次表示パネルに表示し、必要なモードを選択して決定ボタンを押してモードを決定するようにしている。
【０００３】
従来のカメラのモードの選択及び決定の操作手段は、ダイヤル式の操作手段や、モードの選択／決定を一体化したプッシュ式の操作ボタンで行っている。
【０００４】
しかしながら、ダイヤル式の操作手段は、比較的大きな表示パネルで各種モードをマトリックス状に表示して選択するカメラの場合には、回転操作のみでモードを表示しなければならないので、操作に時間がかかり、またモードの決定にもダイヤル式の操作手段とは離れた位置の操作ボタンを操作しなければならないので、使い勝手が悪いという欠点がある。
【０００５】
また、モードの選択／決定を一体化したプッシュ式の操作ボタンは、操作に時間がかかる上に選択と決定とを誤って操作する欠点があった。
【０００６】
特開平１０−９０７６９号公報には、モード選択ボタンの取付構造が開示されている。しかし、特開平１０−９０７６９号公報のモード選択ボタンの取付構造は、接点同時押し防止部、コイルバネ、コイルバネ固定部等が、モード選択ボタンの裏側に配置されている為、モード選択ボタンの取付部が厚くなる欠点があった。
【０００７】
【発明が解決しようとする課題】
本発明は、このような事情に鑑みてなされたもので、厚さの薄い部分に搭載できるカメラの操作ボタンの取付構造を提案することを目的としている。
【０００８】
【課題を解決するための手段】
請求項１記載の発明は前記目的を達成するために、リング状に形成され、第１の接点部材を押圧して第１の接点を導通状態にさせる第１のスイッチボタンと、前記第１のスイッチボタンの内周部に配置され、第２の接点部材を押圧して第２の接点を導通状態にさせる第２のスイッチボタンと、から成り、カメラ外装に設けられるカメラの操作ボタンの取付構造に於いて、前記カメラ外装に形成される開口部と、前記第１のスイッチボタンの外周に形成され、前記第１のスイッチボタンを前記カメラ外装の内側から前記開口部に挿入すると、前記開口部の周縁に当接して、前記第１のスイッチボタンを抜け止めするフランジと、前記第２のスイッチボタンの外周に形成されるボスと、前記第１のスイッチボタンの内周に形成される溝であって、前記第２のスイッチボタンを前記第１のスイッチボタンの裏面側から前記第１のスイッチボタンの内周部に嵌めると、前記ボスが嵌入されて、前記第２のスイッチボタンを前記第１のスイッチボタンに対して回り止めするとともに抜け止めし、かつ、前記第２のスイッチボタンを操作方向にのみ移動可能に保持する溝と、前記第１のスイッチボタンの裏面にピン状に形成され、前記第１の接点部材を押下する第１の接点押下部と、前記第２のスイッチボタンの裏面にピン状に形成され、前記第２の接点部材を押下する第２の接点押下部と、前記第１のスイッチボタンと前記第１の接点部材との間、及び、前記第２のスイッチボタンと前記第２の接点部材との間に配置される弾性材のマットであって、前記第１のスイッチボタンを当接支持する第１の膨出部と前記第２のスイッチボタンを当接支持する第２の膨出部とが形成され、前記第１の膨出部と前記第２の膨出部は、それぞれ押下された前記第１のスイッチボタンと前記第２のスイッチボタンとを元の位置に復帰させるマットと、前記第１の膨出部に形成され、前記第１の接点押下部が挿通される第１の孔と、前記第２の膨出部に形成され、前記第２の接点押下部が挿通される第２の孔と、前記第１の接点押下部に形成され、前記第１の孔に対して前記第１の接点押下部を抜け止めする抜け止め用突起と、を有し、前記マット、前記第１のスイッチボタン、及び、前記第２のスイッチボタンを組み立ててなるアッセンブリを前記開口部に挿入して、前記カメラ外装に取り付けられることを特徴としている。
【０００９】
請求項１記載の発明によれば、操作ボタンと接点との間に弾性材のマットを配置することにより薄型化が可能になり、カメラの外装部品等の厚さの薄い部品にも設置することができる。
【００１０】
【発明の実施の形態】
以下、添付図面に従って本発明に係るカメラの操作ボタンの取付構造の好ましい実施の形態について詳説する。
【００１１】
図１〜図５は、１３５フイルムが装填されるカメラの外観図で、図１は正面図、図２は平面図、図３は背面図、図４は左側面図、図５は右側面図である。
【００１２】
図１に示すカメラのケース１０の前面１１にはズームレンズ鏡胴１２、略三ヶ月形の凸状部からなる指掛かり部（グリップ部）１４、ストロボ窓１６、ファインダ１８、セルフ表示窓２０、パッシブタイプのＡＦ窓２２、リモコン用受光窓２４、測光窓２５等が設けられている。ズームレンズ鏡胴１２の前面には、レンズバリア２６、レンズバリア２６の外側にはリング状の飾り板２８が設けられている。
【００１３】
図２に示すカメラのケース１０の上面３０には、後方コーナ部にメインスイッチ３２が設けられ、シャッタボタン３４が図２上で左側平坦部に設けられている。更に図３に示すカメラのケース１０の背面３６には、ＬＣＤ表示窓３８、プッシュ式の十字キータイプのモード選択ボタン４０、プッシュ式のモード決定ボタン４２が設けられている。ＬＣＤ表示窓３８の左側３９には「フラッシュ」、「セルフタイマ」、「フォーカス」、「日付」等の文字が印刷されており、モード選択ボタン４０でフラッシュ等の機能を選択し、選択後モード決定ボタン４２を押すことによりその機能の選択を実行することができる。更にカメラケース１０の背面右側には、電池蓋４４が設けられ、電池蓋４４の内側には電池室が形成される。カメラのケース１０の側面には、図４に示す電池蓋開閉ツマミ４５が上下方向スライド可能に設けられ、電池蓋開閉ツマミ４５を下方に押し下げることによって電池蓋４４を開放することができる。
【００１４】
図３に於いて電池蓋（電池室）４４の左側には、図示しないフイルム収納室が形成され、対応する位置に透明なフイルムパトローネ確認窓４６が形成され、外部からフイルム感度等が確認できるようになっている。カメラのケース１０の背面上部には、シーソ式のズームボタン４８、ＡＦ表示窓５０等が形成されている。ＡＦ表示窓５０は、シャッタボタン３４の半押し状態での測距が完了すると緑色に点灯し、被写体に近づき過ぎる等の測距不能の距離の場合には、点滅する。図５に示すように、カメラのケース１０の右側面に、裏蓋開閉ツマミ５２が上下方向スライド自在に設けられ、上方にスライドさせて裏蓋５１を開放し、フイルムの装填、取り出しを行うことができる。
【００１５】
図６〜図８は、本発明に係るカメラの操作ボタンを構成するモード選択ボタン（第１のスイッチボタンボタン）４０とモード決定ボタン（第２のスイッチボタン）４２の組立構造が示されている。モード選択ボタン４０は前記したようにリング状の十字キータイプとして構成され、モード決定ボタン４２は、モード選択ボタン４０の中央部に配置される。
【００１６】
本発明に係る操作ボタンは、図６、図７に示すように、モード選択ボタン４０、モード決定ボタン４２、ゴム台座（マット）６０、金属板から成るクリック板６２から構成される。クリック板６２は、中央に接点部材６４を有し、接点部材６４の周囲で上下に接点部材６６、６８、左右に接点部材７０、７２を有している。接点部材６４は、モード決定ボタン４２に対応し、モード選択ボタン４０の上マーク７４は接点部材６６に対応し、下マーク７６は接点部材６８に対応し、左マーク７８は接点部材７０に対応し、右マーク８０は接点部材７２に対応している。即ち、モード決定ボタン４２の裏面には、図８に示すように接点押下部８４が形成され、モード決定ボタン４２が押し下げられると接点押下部８４が接点部材６４を押圧して後述するフレキシブル基板上の接点は導通状態となる。同様に、モード選択ボタン４０の裏面にも、マーク７４、７６、７８、８０に対応してピン状の接点押下部８６、８８、９０、９２が形成され、マーク７４〜８０のいずれかが押圧されると、接点押下部８６〜９２のうち押圧される接点押下部が接点部材６６〜７２のうちの対応する１つを押圧して接点を導通状態にさせる。接点は、図６で示すフレキシブルプリント基板８２に形成されており、上記の如く各接点部材６４、６６、６８、７０、７２が押下されることにより接点が導通状態となる。各接点は、図示しないＣＰＵを介して図３のＬＣＤ表示窓３８と接続され、導通されることによりＬＣＤ表示窓３８に、フラッシュ、セルフタイマー、フォーカス、日付等を表示する。
【００１７】
図８に示すように、モード決定ボタン４２の外周には、３つのボス９４、９４、９４が形成され、モード選択ボタン４０の内周縁９６には、ボス９４、９４、９４が嵌入する溝９８、９８、９８が形成される。モード決定ボタン４２のボス９４は、モード選択ボタン４０の溝９８に嵌入することによりモード選択ボタン４０に対して回り止めがなされ、更に、組立後は図６に示すように、モード決定ボタン４２のボス９４がモード選択ボタン４０の内周縁９６と干渉する位置関係にあって、モード選択ボタン４０からのモード決定ボタン４２の抜け止めがなされる。
【００１８】
モード選択ボタン４０、モード決定ボタン４２、ゴム台座６０、クリック板６２の組立手順の一例は次の如くである。▲１▼先ずゴム台座６０の中央部に形成された矩形孔１００に、モード決定ボタン４２の接点押下部８４を挿入する。▲２▼次にゴム台座６０に形成された４つの丸孔１０２、１０２、１０２、１０２に、モード選択ボタン４０の４本の接点押下部８６〜９２を挿入する。４本の接点押下部８６〜９２のうち、接点押下部８６、８８には、抜け止め用突起８６Ａ、８８Ａが形成され、ゴム台座６０からの抜け止めがなされる。尚、モード選択ボタン４０の接点押下部８６〜９２をゴム台座６０の丸孔１０２に挿入する際に、前記したようにモード決定ボタン４２のボス９４がモード選択ボタン４０の溝９８に嵌入する。▲３▼次に、上記の如くゴム台座６０、モード選択ボタン４０、及びモード決定ボタン４２を組立ててなるアッセンブリを図６で示す裏蓋５１の内面側から円形状の開口部５１Ａに挿入する。このときゴム台座６０の孔１０４に裏蓋５１のピン５１Ｂが嵌入し、更に、ゴム台座６０には、裏蓋５１の座ぐり穴５３の形状に対応するように、凹部６１、偏平部６３が形成され、ゴム台座６０の裏蓋５１に対する位置決めがなされる。▲４▼次に、クリック板６２が接着されたフレキシブルプリント基板８２を裏蓋５１に取付け、最後に金属製の押さえ板１０６を裏蓋５１にねじ止め等で締結し、上記アッセンブリを裏蓋５１に押し付けて、図６のように組立てる。この時、裏蓋５１の円形状の開口部５１Ａの周縁には、フランジ５１Ｃが形成され、このフランジ５１Ｃにはモード選択ボタン４０の外周に形成された、フランジ４０Ａが当接し、裏蓋５１からの上記アッセンブリのぬけ止めがなされる。
【００１９】
ゴム台座６０は、図６に示すように中央部に膨出部６０Ａが形成され、膨出部６０Ａは、復帰バネとして機能し、モード決定ボタン４２が押し下げられた時、モード決定ボタン４２を元の位置に復帰させる。更にゴム台座６０には、膨出部６０Ａの周囲にリング状の膨出部６０Ｂが形成されている。ゴム台座６０の膨出部６０Ｂは、図６に示すようにモード選択ボタン４０を支持して図６上で上方に付勢する。これによりモード選択ボタン４０のフランジ４０Ａは、裏蓋５１のフランジ５１Ａに押し付けられる。この状態で、モード選択ボタン４０のマーク７４〜８０のうちいずれかのマークの部分を押し下げると、接点が導通され、押圧力を解除するとゴム台座６０の膨出部６０Ｂの弾性力によりモード選択ボタン４０は元の位置に復帰する。
【００２０】
前記実施の形態では、操作ボタンの取付を▲１▼〜▲４▼の手順で行ったがこれに限定されるものではなく、適宜手順を入れ換えてもよい。
【００２１】
前記実施の形態では、モード選択ボタン（第１のスイッチボタン）４０の溝９８、９８、９８にモード決定ボタン（第２のスイッチボタン）４２のボス９４、９４、９４が嵌入して係合し、モード決定ボタン４２は回り止めと抜け止めがなされて、モード決定ボタン４２は、操作方向にのみ溝（保持手段）９８内で移動する。この場合、モード決定ボタン４２のボス９４は、モード選択ボタン４０の溝９８内で係合して保持され、裏蓋５１等の外装部品から腕を出して保持する必要はないので、操作ボタンの小型化、薄型化が達成できる。
【００２２】
前記実施の形態では図６に示すようにゴム台座６０によってクリック板６２全体が覆われ、カメラ外部から静電気がクリック板６２に影響を及ぼさないので、カメラの誤動作や故障を防止することができる。
【００２３】
前記実施の形態では接点押下部はゴム台座６０を貫通して接点部材を押下したが、接点押下部に対応するゴム台座６０の部分に凹部を形成し、凹部を介して接点部材を押下してもよい。
【００２４】
また、ゴム台座６０とクリック板６２の代わりに、ＰＥＴなどのプラスチックに導電印刷したもので代用し、これにモード選択ボタンとモード決定ボタンを取付けるようにしてもよい。
【００２５】
【発明の効果】
以上説明したように本発明に係るカメラの操作ボタンの取付構造によれば、操作ボタンと接点との間に弾性材マットを配置したので薄型化が可能になり、厚さの薄い外装部品にも設置できる。
【図面の簡単な説明】
【図１】  本発明の実施の形態に係るカメラの正面図
【図２】  本発明の実施の形態に係るカメラの平面図
【図３】  本発明の実施の形態に係るカメラの背面図
【図４】  本発明の実施の形態に係るカメラの左側面図
【図５】  本発明の実施の形態に係るカメラの右側面図
【図６】  本発明の実施の形態によるカメラの操作ボタンの断面図
【図７】  本発明の実施の形態によるカメラの操作ボタンの分解斜視図
【図８】  モード選択ボタンとモード決定ボタンの裏面を示す斜視図
【符号の説明】
１０…カメラのケース、４０…モード選択ボタン、４２…モード決定ボタン、５１…裏蓋、６０…ゴム台座、６０Ａ、６０Ｂ…膨出部、６２…クリック板
【図１】
0004843153.tif 000002
【図２】
0004843153.tif 000003
【図３】
0004843153.tif 000004
【図４】
0004843153.tif 000005
【図５】
0004843153.tif 000006
【図６】
0004843153.tif 000007
【図７】
0004843153.tif 000008
【図８】
0004843153.tif 000009